(57)【要約】【課題】インターロック機構を備える処理装置のスイッチの寿命を延ばす。【解決手段】処理装置は、排出ローラー２１ａを処理トレイ２７上のシートに当接させる姿勢から上方に揺動可能に設けられる支持アーム３１と、前記支持アーム３１の上方への揺動を検知して処理の実行を停止するインターロック機構２３と、を備える。前記インターロック機構２３は、前記支持アーム３１が上方に揺動することで回動するアクチュエータ４１と、前記アクチュエータ４１が回動することでオン／オフを切り替えられて、前記支持アーム３１を検知するスイッチ４３と、前記スイッチ４３を、前記アクチュエータ４１による切り替え不能な非検知位置と切り替え可能な検知位置とに移動させる移動機構４５と、を有する。前記移動機構４５は、前記処理が実行されない間は前記スイッチ４３を前記非検知位置に移動させ、前記処理が実行される際に前記スイッチ４３を前記検知位置に移動させる。【選択図】図２
2020070158.tif 000002
【特許請求の範囲】
【請求項１】
シートに所定の処理を行う処理装置であって、
前記処理が行われるシートが積載される処理トレイと、
前記処理されたシートが前記処理トレイから排出される排出口と、
前記排出口において前記処理トレイ上のシートに当接して回転することで該シートを搬送する排出ローラーと、
前記排出ローラーを支持し、該排出ローラーを前記処理トレイ上のシートに当接させる姿勢から上方に揺動可能に設けられる支持アームと、
前記支持アームの上方への揺動を検知して前記処理の実行を停止するインターロック機構と、
を備え、
前記インターロック機構は、
前記排出口に回動可能に支持されて、前記支持アームが上方に揺動することで回動するアクチュエータと、
前記アクチュエータが回動することでオン／オフを切り替えられ、前記支持アームを検知するスイッチと、
前記スイッチを、前記アクチュエータによりオン／オフを切り替え不能な非検知位置と前記アクチュエータによりオン／オフを切り替え可能な検知位置とに移動させる移動機構と、を有し、
前記移動機構は、
前記処理が実行されない間は前記スイッチを前記非検知位置に移動させ、前記処理が実行される際に前記スイッチを前記検知位置に移動させることを特徴とする処理装置。
【請求項２】
前記スイッチが前記移動機構によって前記検知位置に移動した状態において、
前記処理が実行されている間は、前記支持アームが下方に揺動して前記スイッチをオンに維持する姿勢に前記アクチュエータを支持し、
前記排出口から異物が挿入されると、前記支持アームが上方に揺動して前記アクチュエータを回動させて前記スイッチから離間させ、前記スイッチがオンからオフに切り替えられることを特徴とする請求項１に記載の処理装置。
【請求項３】
前記スイッチは接点式であり、
前記アクチュエータで押し込まれることでオフからオンに切り替えられ、前記アクチュエータが離間することでオンからオフに切り替えられることを特徴とする請求項１又は２に記載の処理装置。
【請求項４】
前記検知位置において、
前記アクチュエータは、前記排出口を閉止するように回動することで前記スイッチを押し込んで該スイッチをオフからオンに切り替え、前記排出口を開放するように回動することで前記スイッチから離間して該スイッチをオンからオフに切り替えることを特徴とする請求項３に記載の処理装置。
【請求項５】
前記移動機構は、前記スイッチとリンクを介して連結されたソレノイドを有し、
前記ソレノイドへの通電によって、前記スイッチを前記非検知位置から前記検知位置へ移動させ、
前記ソレノイドへの通電の遮断によって、前記スイッチを前記検知位置から前記非検知位置へ移動させることを特徴とする請求項１〜４のいずれか１項に記載の処理装置。
【発明の詳細な説明】
【技術分野】
【０００１】
本発明は、ステープル針でシート束を綴じるステープル処理等を含む処理を行う処理装置に関する。
【背景技術】
【０００２】
ステープル処理等を行う処理装置には、排出口でスイッチバックされたシートを積載して、処理されるシート束が形成される処理トレイが備えられている。ステープル処理を行う処理装置における安全性を考慮して、特許文献１には、ピントレイ（処理トレイ）の上方にある物体を検出する異物検出装置が記載されている。この異物検出装置は、ピントレイの上方に、進退可能に配置される異常物検出用バーを備えている。ピントレイの上方に異常物が挿入された場合、異常物検出用バーが前進できず、異常物検知スイッチがオンに切り替えられないことで、異常の有無を判定できるようになっている。
【先行技術文献】
【特許文献】
【０００３】
【特許文献１】特開平６−３４５３１９号公報
【発明の概要】
【発明が解決しようとする課題】
【０００４】
しかしながら、特許文献１に記載の異常物検出装置は、異常物検出用バーを進退させる機構等が複雑であるという問題がある。
【０００５】
一方で、スイッチを用いるインターロックスイッチ機構を備える処理装置も知られている。スイッチは、排出口に回動可能に支持されたアクチュエータによってオン／オフを切り替えられ、オフからオンに切り替えられることでステープル処理の実行を可能とし、オンからオフに切り替えられることでステープル処理の実行を不可能とする。スイッチは、排出口が閉止されるようにアクチュエータが回動することでオフからオンに切り替わり、排出口が開放されるようにアクチュエータが回動することでオンからオフに切り替わる。
【０００６】
この処理装置では、２枚目以降のシートが搬送される際に、排出口が開放されるようにアクチュエータが回動してスイッチがオンからオフに切り替わり、このシートがスイッチバックされる場合に、排出口が閉止されるようにアクチュエータが回動してスイッチがオフからオンに切り替わる。排出口から異物が進入した場合には、異物によってアクチュエータが押されて排出口が開放されるように回動することで、スイッチがオンからオフに切り替わって、ステープル処理の実行を不可能とするようになっている。
【０００７】
このように、シートが１枚搬送される毎に、スイッチがオフとオンの切り替えを繰り返すことになる。近年では、多数枚（一例で１００枚）のシートをステープル処理するような要求も高まっている。この場合、シートが１枚搬送される毎に、スイッチがオフ／オンの切り替えが繰り返されると、スイッチの寿命が短くなり、場合によってはステープル装置の寿命よりも短くなってしまうこともあり得る。
【０００８】
本発明は上記事情を考慮し、スイッチを用いるインターロック機構を備える処理装置において、スイッチの寿命を延ばすことを目的とする。
【課題を解決するための手段】
【０００９】
上記課題を解決するため、本発明の処理装置は、シートに所定の処理を行う処理装置であって、前記処理が行われるシートが積載される処理トレイと、前記処理されたシートが前記処理トレイから排出される排出口と、前記排出口において前記処理トレイ上のシートに当接して回転することで該シートを搬送する排出ローラーと、前記排出ローラーを支持し、該排出ローラーを前記処理トレイ上のシートに当接させる姿勢から上方に揺動可能に設けられる支持アームと、前記支持アームの上方への揺動を検知して前記処理の実行を停止するインターロック機構と、を備え、前記インターロック機構は、前記排出口に回動可能に支持されて、前記支持アームが上方に揺動することで回動するアクチュエータと、前記アクチュエータが回動することでオン／オフを切り替えられ、前記支持アームを検知するスイッチと、前記スイッチを、前記アクチュエータによりオン／オフを切り替え不能な非検知位置と前記アクチュエータによりオン／オフを切り替え可能な検知位置とに移動させる移動機構と、を有し、前記移動機構は、前記処理が実行されない間は前記スイッチを前記非検知位置に移動させ、前記処理が実行される際に前記スイッチを前記検知位置に移動させることを特徴とする。
【００１０】
本発明の処理装置において、前記スイッチが前記移動機構によって前記検知位置に移動した状態において、前記処理が実行されている間は、前記支持アームが下方に揺動して前記スイッチをオンに維持する姿勢に前記アクチュエータを支持し、前記排出口から異物が挿入されると、前記支持アームが上方に揺動して前記アクチュエータを回動させて前記スイッチから離間させ、前記スイッチがオンからオフに切り替えられることを特徴としてもよい。
【００１１】
本発明の処理装置において、前記スイッチは接点式であり、前記アクチュエータで押し込まれることでオフからオンに切り替えられ、前記アクチュエータが離間することでオンからオフに切り替えられることを特徴としてもよい。
【００１２】
本発明の処理装置において、前記検知位置において、前記アクチュエータは、前記排出口を閉止するように回動することで前記スイッチを押し込んで該スイッチをオフからオンに切り替え、前記排出口を開放するように回動することで前記スイッチから離間して該スイッチをオンからオフに切り替えることを特徴としてもよい。
【００１３】
本発明の処理装置において、前記移動機構は、前記スイッチとリンクを介して連結されたソレノイドを有し、前記ソレノイドへの通電によって、前記スイッチを前記非検知位置から前記検知位置へ移動させ、前記ソレノイドへの通電の遮断によって、前記スイッチを前記検知位置から前記非検知位置へ移動させることを特徴としてもよい。
【発明の効果】
【００１４】
本発明によれば、１回の処理で、シート束のシートの枚数に関わらず、スイッチのオフからオンへの切り替えとオンからオフへの切り替えがそれぞれ１回だけでよい。したがって、スイッチの切り替え回数を低減でき、寿命を延ばすことができる。
【図面の簡単な説明】
【００１５】
【図１】本発明の一実施形態に係る処理装置の内部構成を模式的に示す正面図である。
【図２】本発明の一実施形態に係る処理装置において、１枚目のシート搬送時のインターロック機構を示す正面図である。
【図３】本発明の一実施形態に係る処理装置において、１枚目のシートのスイッチバック時のインターロック機構を示す正面図である。
【図４】本発明の一実施形態に係る処理装置において、２枚目のシート搬送時のインターロック機構を示す正面図である。
【図５】本発明の一実施形態に係る処理装置において、ステープル処理時のインターロック機構を示す正面図である。
【図６】本発明の一実施形態に係る処理装置において、排出口から異物が挿入された際のインターロック機構を示す正面図である。
【発明を実施するための形態】
【００１６】
以下、図面を参照しつつ本発明の処理装置について説明する。
【００１７】
まず、図１を参照して、処理装置１の全体の構成について説明する。図１は処理装置１の断面図である。図１の紙面手前側を処理装置１の前側とする。各図のＬ、Ｒは、それぞれ後処理装置１の左側、右側を示す。処理装置１は、例えば、インクジェット式で画像を形成する画像形成装置に隣接して配置されて、画像形成装置で画像形成されたシートが積載されたシート束に後処理を行う。
【００１８】
処理装置１は、略直方体形状の本体部３と、本体部３を支持する脚部５と、を有している。本体部３には、画像形成装置側の側面（右側面）に受入口７が形成されている。受入口７には、画像形成装置から画像形成されたシートが受け入れられる。また、本体部３には、画像形成装置と反対側の側面（左側面）に、排出口９が形成されている。排出口９からは、後処理されたシートが排出される。排出口９の下方には、排出トレイ１１が設けられている。排出トレイ１１には、排出口９から排出されたシートが積載される。
【００１９】
本体部３には、受入口７から排出口９に向かう搬送方向に沿ってシートを搬送する搬送経路１３が設けられている。本体部３には、搬送方向における上流側から順に、シートに穿孔処理を行う穿孔装置１５と、レジストローラー対１７と、搬送ローラー対１９と、排出ローラー対２１と、が搬送経路１３に沿って順に備えられている。
【００２０】
さらに、本体部３には、搬送経路１３の下方に、処理トレイ２７とステープル装置２９とが備えられている。処理トレイ２７は、排出口９から下方に傾斜するように配置されている。処理トレイ２７には、排出口９を通ってスイッチバックされたシートが積載されて、所定枚数のシート束が形成される。ステープル装置２９は、処理トレイ２７の下端に配置されて、処理トレイ２７に形成されたシート束をステープル針で綴じるステープル処理を実行する。さらに、本体部３には、排出口９から異物が進入したことを検知するとステープル装置２９によるステープル処理の実行を停止するインターロック機構２３が備えられている。
【００２１】
次に、処理装置１におけるステープル処理について説明する。画像形成装置で画像形成されたシートは、受入口７から受け入れられて、搬送経路１３に沿って搬送される。そして、排出ローラー対２１によって排出口９でスイッチバックされた後、処理トレイ２７に搬送されて積載される。処理トレイ２７に所定枚数のシートが積載されて、サイドカーソルによって幅方向に整合されてシート束が形成された後、ステープル装置２９によってシート束がステープル処理される。ステープル処理されたシート束は、処理トレイ２７に備えられる排出機構（図示省略）によって排出口９から排出されて、排出トレイ１１に積載される。
【００２２】
次に、図２〜図６を参照して、搬送ローラー対１９と排出ローラー対２１とインターロック機構２３とについて詳細に説明する。図２〜図６は、搬送ローラー対１９と排出ローラー対２１とインターロック機構２３とを示す正面図である。
【００２３】
搬送ローラー対１９は、搬送経路１３を挟んで配置された上下のローラー１９ａ及び１９ｂを有している。搬送ローラー対１９は、レジストローラー対１７（図１参照）から所定の距離を開けて配置されている。下側のローラー１９ｂは、駆動源（図示省略）に接続されて回転する。下側のローラー１９ｂが駆動源で駆動されて回転すると、上側のローラー１９ａは下側のローラー１９ｂに従動して回転する。これにより、シートが搬送方向に沿って搬送される。
【００２４】
排出ローラー対２１は、搬送経路１３を挟んで配置された上下のローラー２１ａ及び２１ｂを有している。排出ローラー対２１は、排出口９の内側に配置されている。上下のローラー２１ａ及び２１ｂはそれぞれ駆動源（図示省略）に接続されて、正方向及び逆方向に回転する。上下のローラー１９ａ及び１９ｂが駆動源で駆動されて正方向に回転することで、シートが搬送方向に沿って搬送され、逆方向に回転することで、シートが搬送方向と反対の方向にスイッチバックされる。
【００２５】
搬送ローラー対１９の上側のローラー１９ａと排出ローラー対２１の上側のローラー２１ａとは、支持アーム３１に支持されている。搬送ローラー対１９の下側のローラー１９ｂと排出ローラー対２１の下側のローラー２１ｂとは、本体部３に支持されている。
【００２６】
支持アーム３１は、搬送ローラー対１９と排出ローラー対２１との間の搬送経路１３の上側に配置されている。支持アーム３１の上面には、搬送方向の下流側の端部に突部３３が形成されている。支持アーム３１は、搬送ローラー対１９の上側のローラー１９ａの回転軸の近傍を中心として上下方向に揺動する。支持アーム３１が上方に揺動すると、排出ローラー対２１の上側のローラー２１ａが下側のローラー２１ｂから離間して、排出口９が開放される。一方で、支持アーム３１は、排出ローラー対２１の上側のローラー２１ａが下側のローラー２１ｂに接触するまで下方に回動する。
【００２７】
インターロック機構２３は、アクチュエータ４１と、スイッチ４３と、スイッチ４３の移動機構４５と、を備えている。図２〜図６において、インターロック機構２３は支持アーム３１の紙面手前側（前側）に配置されている。
【００２８】
アクチュエータ４１は、排出口９の幅と同等の寸法を有する平板状の部材である。アクチュエータ４１の両側面（前後の側面）の上端部には、回動支点５１が設けられている。また、アクチュエータ４１の一側面（前側面）には、側面視において、上端部から略直角に屈曲する平板状の検知片５３が形成されている。アクチュエータ４１は、排出口９の上方、かつ、支持アーム３１よりも外側に、回動支点５１を中心として回動可能に支持されて、排出口９を塞ぐように垂下している。この姿勢を垂下姿勢とする。検知片５３は、本体部３の内側に向かって略水平に延びている。アクチュエータ４１の下縁と、排出ローラー対２１の下側のローラー２１ｂとの間には、シートが通過可能な隙間が開いている。
【００２９】
図２に示されるように、支持アーム３１が下方に回動した状態においては、アクチュエータ４１の内側の面は支持アーム３１の外側の面に対向している。このため、アクチュエータ４１が内方向に回動しようとすると、アクチュエータ４１の内側の面が支持アーム３１の外側の面に当接して、アクチュエータ４１の垂下姿勢からの回動が規制されるようになっている。
【００３０】
一方、図４に示されるように、支持アーム３１が所定の角度以上上方に回動すると、支持アーム３１の突部３３がアクチュエータ４１を押し上げる。これにより、アクチュエータ４１が回動支点５１を中心として回動して、排出口９が開かれる。このようにアクチュエータ４１が回動すると、検知片５３は、アクチュエータ４１の一側面（前側面）の上端部から本体部３の内側に向かって斜め上方向に延びる。このように、アクチュエータ４１が垂下姿勢から排出口９を開くように回動すると、検知片５３は略水平方向に沿った姿勢（図２参照）と斜め上方向に沿った姿勢（図４参照）との間の回動範囲を回動する。
【００３１】
再度図２を参照して、スイッチ４３は接点式であり、揺動可能なレバー６１と、レバー６１で押し込まれるスイッチボタン６３と、を有している。スイッチ４３は、レバー６１が押されてスイッチボタン６３が押し込まれるとオフからオンに切り替わり、レバー６１が解放されてスイッチボタン６３が復帰するとオンからオフに切り替わる。スイッチ４３はステープル装置２９と接続している。ステープル装置２９は、スイッチ４３オフからオンに切り替わることで作動（ステープル処理の実行）を可能とし、オンからオフに切り替わることで作動を不可能とするように制御される。
【００３２】
移動機構４５は、ソレノイド７１と、ソレノイド７１とスイッチ４３とを連結するリンク７３と、を有している。移動機構４５は、スイッチ４３がアクチュエータ４１の検知片５３に対応するように、排出口９の前端部の内側に配置されている。
【００３３】
ソレノイド７１は、プランジャー７１ａが左側（排出口９の側）に引き込まれる姿勢で配置されている。
【００３４】
リンク７３は、上端７３ａが回転可能に本体部３に支持され、下端７１ｂがソレノイド７１のプランジャー７１ａの先端に回転可能に連結している。リンク７３はスイッチ４３と固定板７５で固定されている。
【００３５】
ソレノイド７１の非通電と通電によってプランジャー７１ａが伸縮すると、リンク７３は上端７３ａを中心として回動し、スイッチ４３がリンク７３と共に非検知位置と検知位置との間を移動する。ソレノイド７１に通電されておらずプランジャーが引き出されている状態（図２〜図４参照）では、スイッチ４３は非検知位置に移動し、ソレノイド７１に通電されてプランジャーが引き込まれる（図５〜図６参照）と、スイッチ４３は検知位置に移動する。
【００３６】
非検知位置（図２〜図４参照）において、スイッチ４３のレバー６１は、アクチュエータ４１の検知片５３の回動範囲に干渉せず、検知片５３とは接触しない。つまり、検知片５３によるスイッチ４３のオン／オフの切り替えが不可能となる。詳細には、レバー６１は、検知片５３の回動範囲の下限位置（略水平方向に沿った姿勢）よりも下方に位置する。
【００３７】
検知位置（図５〜図６参照）においては、レバー６１は、検知片５３の回動範囲に干渉し、検知片５３に接触可能である。つまり、検知片５３によるスイッチ４３のオン／オフの切り替えが可能となる。詳細には、レバー６１は、検知片５３の回動範囲の下限位置よりも上方に位置し、アクチュエータ４１が垂下姿勢に回動して検知片５３が下限位置まで回動すると、レバー６１が検知片５３に入り込み、レバー６１が押されてスイッチボタン６３を押し込む。一方で、アクチュエータ４１が垂下姿勢から回動して検知片５３が下限位置よりも上方に回動すると、検知片５３はレバー６１から離間してレバー６１の押し込みが解除され、スイッチボタン６３が復帰する。
【００３８】
上記構成を有するインターロック機構２３の動作について、図２〜図６を参照して説明する。図２に示される初期状態では、図２の矢印で示される搬送方向に沿って１枚目のシートＳ１が搬送される際、支持アーム３１は下方向に回動して、排出ローラー対２１の上側のローラー２１ａが下側のローラー２１ｂに接触している。アクチュエータ４１は垂下姿勢に回動している。ソレノイド７１は通電されておらず、スイッチ４３は非検知位置に移動している。したがって、アクチュエータ４１が垂下姿勢に回動して検知片５３が下限位置に回動していても、スイッチ４３のレバー６１は、アクチュエータ４１の検知片５３の回動範囲には干渉しない。つまり、スイッチ４３のオフからオンへの切り替えは不可能であるので、ステープル装置２９は作動不可能である。搬送ローラー対１９の下側のローラー１９ｂと、排出ローラー対２１の上下のローラー２１ａ及び２１ｂとは正回転して、１枚目のシートＳ１を搬送経路１３に沿って搬送する。
【００３９】
図３に示されるように、１枚目のシートＳ１の後端が搬送ローラー対１９から離れた後、排出ローラー対２１の上下のローラー２１ａ及び２１ｂが逆回転して、図３の矢印で示されるスイッチバック方向に沿って１枚目のシートＳ１をスイッチバックさせる。スイッチバックした１枚目のシートＳ１は処理トレイ２７に積載される。
【００４０】
図４に示されるように、２枚目のシートＳ２が搬送される際、支持アーム３１は所定の角度だけ上方向に回動する。これにより、排出ローラー対２１の上側のローラー２１ａが下側のローラー２１ｂから離間すると共にアクチュエータ４１が支持アーム３１によって押し上げられて、排出口９が開かれる。そして、搬送ローラー対１９の下側のローラー１９ｂが正回転し、図４の矢印で示される搬送方向に沿って２枚目のシートＳ２を搬送経路１３に沿って搬送する。この際も、ソレノイド７１は通電されておらず、スイッチ４３は非検知位置に移動している。したがって、スイッチ４３のオフからオンへの切り替えは不可能であり、ステープル装置２９は作動不可能である。
【００４１】
２枚目のシートＳ２の後端が搬送ローラー対１９から離れた後、支持アーム３１は下方向に回動し、排出ローラー対２１の上側のローラー２１ａが２枚目のシートＳ２に接触する。同時に、アクチュエータ４１は垂下姿勢に回動する。その後、排出ローラー対２１の上側のローラー２１ａが逆回転して、２枚目のシートＳ２をスイッチバックさせる。スイッチバックされた２枚目のシートＳ２は、処理トレイ２７上の１枚目のシートＳ１に積載される。
【００４２】
このように所定枚数のシートＳが処理トレイ２７に積載されてシート束ＳＢが形成された後、ステープル装置２９によってステープル処理が実行される。図５に示されるように、支持アーム３１は下方向に回動して、排出ローラー対２１の上側のローラー２１ａがシート束ＳＢの最上位のシートに接触している。すなわち、支持アーム３１は、図２に示される初期状態よりも、シート束ＳＢの厚さだけ上方に回動している。ただし、支持アーム３１の回動角度は所定の角度よりも小さいので、アクチュエータ４１は垂下姿勢から回動していない。
【００４３】
ステープル処理の実行時、ソレノイド７１が通電されて、スイッチ４３を非検知位置から検知位置に移動させる。これにより、前述のように、スイッチ４３のレバー６１が、アクチュエータ４１の検知片５３で相対的に押されてスイッチボタン６３が押し込まれ、スイッチ４３がオフからオンに切り替えられる。これにより、ステープル装置２９の作動が可能となり、シート束ＳＢにステープル処理が行われる。ステープル処理されたシート束ＳＢは、処理トレイ２７から排出機構によって排出口９を通って排出されて、排出トレイ１１に積載される。
【００４４】
なお、図５で示される状態では、支持アーム３１によってアクチュエータ４１の回動が規制されている。したがって、スイッチ４３が非検知位置から検知位置へ移動した際に、レバー６１が検知片５３を押し上げることなく、検知片５３が相対的にレバー６１を押し込む。
【００４５】
ステープル処理が実行される間、図７に示されるように、誤って指Ｘが排出口９から処理トレイ２７の上方に入れられる場合がある。すると、支持アーム３１が指Ｘで押されて上方に揺動し、アクチュエータ４１を押し上げる。これにより、アクチュエータ４１が垂下姿勢から上方に回動し、アクチュエータ４１の検知片５３がスイッチ４３のレバー６１から離間する。これにより、レバー６１によるスイッチボタン６３の押し込みが解除されて、スイッチ４３はオンからオフに切り替えられる。この結果、ステープル装置２９の作動が不可能となる。
【００４６】
ステープル処理が実行された後、ソレノイド７１への通電が遮断されて、スイッチ４３は非検知位置に移動する。
【００４７】
上記説明から明らかなように、本発明の処理装置１によれば、シート束の形成中は、スイッチ４３を非検知位置に移動させておき、ステープル処理が実行される際には、スイッチ４３を検知位置に移動させる。つまり、ステープル処理が実行される間だけ、スイッチ４３のオン／オフの切り替えが可能となる。これにより、１回のステープル処理で、シート束のシートの枚数に関わらず、オフからオンへの切り替えとオンからオフへの切り替えがそれぞれ１回だけで済む。このように、例えば、シートが１枚搬送される毎に、スイッチがオフとオンの切り替えを繰り返す場合に比べて、スイッチ４３の切り替え回数を大幅に低減できる。したがって、スイッチ４３の寿命を延ばすことができる。
【００４８】
また、ステープル処理が実行される間は、スイッチ４３は、アクチュエータ４１の検知片５３の回動範囲に干渉する検知位置に移動している。この状態で排出口９から誤って指等の異物が挿入されると、支持アーム３１が異物で押されてアクチュエータ４１を垂下姿勢から回動させ、スイッチ４３がオンからオフに切り替えられる。したがって、ステープル処理中に排出口９から異物が挿入された場合には、ステープル処理の実行を速やかに停止できる。なお、排出口９から異物が挿入された場合に、排出ローラー２１ａが異物で押されてアクチュエータ４１を回動させてもよい。あるいはアクチュエータ４１が直接異物で押されて回動してもよい。
【００４９】
また、スイッチ４３が接点式であるので、アクチュエータ４１によるスイッチボタン６３の押し込みと押し込み解除によって、オンまたはオフに確実に切り替えらる。
【００５０】
また、本実施形態では、ソレノイド７１を使用することで、スイッチ４３を簡易な構成で検知位置と非検知位置とに移動させることができる。
【００５１】
さらに、ソレノイド７１は、通電されることでスイッチ４３を非検知位置から検知位置に移動させるようになっている。このため、ソレノイド７１が故障した場合、スイッチ４３は非検知位置に位置し、オフ状態が維持されるので、ステープル処理の実行が不可能となる。したがって、排出口９から誤って指が挿入されたような場合でも、ステープル処理が実行されないので安全である。なお、処理装置１の待機中等の、シート束の形成中以外のステープル処理が実行されない間も、スイッチ４３は非検知位置に移動しているので、排出口９から誤って指が挿入されたような場合でも、ステープル処理は実行されない。
【００５２】
本実施形態では、シート束にステープル処理を行う処理装置１について説明したが、処理装置１で行われる処理は、ステープル処理に限らず、穿孔処理や中綴じ処理を含む。
【００５３】
本発明は特定の実施形態について記載されてきたが、本発明は上記実施形態に限定されない。本発明の範囲及び主旨を逸脱しない限りにおいて、当業者は上記実施形態を改変可能である。
【符号の説明】
【００５４】
１  処理装置
９  排出口
２１ａ  排出ローラー
２３  インターロック機構
２７  処理トレイ
３１  支持アーム
４１  アクチュエータ
４３  スイッチ
４５  移動機構
７１  ソレノイド
７３  リンク
【図１】
2020070158.tif 000003
【図２】
2020070158.tif 000004
【図３】
2020070158.tif 000005
【図４】
2020070158.tif 000006
【図５】
2020070158.tif 000007
【図６】
2020070158.tif 000008